(57)【要約】【課題】  複数ユーザのうちのどのユーザに対しても使いやすいユーザインタフェースを提供可能な画像形成装置を得る。【解決手段】  ユーザ判別部１０ｂは、操作中のユーザを判別する。ＵＩ制御部１０ｃは、複数のユーザインタフェース設定情報から、ユーザ判別部１０ｂにより判別されたユーザに関連付けられているユーザインタフェース設定情報を選択し、選択したユーザインタフェース設定情報に基づき、ユーザインタフェースの画像を決定し表示装置４に表示させる。また、操作情報取得部１０ｄは、ユーザ判別部１０ｂにより判別されたユーザごとに、入力装置５により検出された操作の情報を取得し履歴としてメモリ９に格納する。更新処理部１０ｅは、ユーザの操作情報の履歴に基づいて、そのユーザのユーザインタフェース設定情報を更新する。【選択図】  図１
2009163625.tif 000002
【特許請求の範囲】
【請求項１】
操作中のユーザを判別するユーザ判別手段と、
ユーザインタフェースの画像を表示する表示装置と、
前記ユーザインタフェースに含まれユーザによる操作を検出する入力装置と、
複数のユーザインタフェース設定情報から、前記ユーザ判別手段により判別されたユーザに関連付けられている前記ユーザインタフェース設定情報を選択し、選択した前記ユーザインタフェース設定情報に基づき、前記ユーザインタフェースの画像を決定し前記表示装置に表示させる表示制御手段と、
前記ユーザ判別手段により判別されたユーザごとに、前記入力装置により検出された操作の情報を取得し履歴として所定の記録媒体に格納する操作情報取得手段と、
前記ユーザの操作情報の履歴に基づいて、そのユーザの前記ユーザインタフェース設定情報を更新する更新手段と、
を備えることを特徴とする表示入力装置。
【請求項２】
前記表示制御手段は、前記ユーザの前記ユーザインタフェース設定情報と標準の前記インタフェース設定情報とを切り換えることで前記ユーザインタフェースを切り換え、
前記操作情報取得手段は、前記ユーザの前記ユーザインタフェース設定情報による前記ユーザインタフェースで前記入力装置により検出された操作の情報と、前記標準の前記ユーザインタフェース設定情報による前記ユーザインタフェースで前記入力装置により検出された操作の情報とを合算し、
前記更新手段は、合算された前記ユーザの操作情報の履歴に基づいて、そのユーザの前記ユーザインタフェース設定情報を更新すること、
を特徴とする請求項１記載の表示入力装置。
【請求項３】
前記更新手段は、前記ユーザインタフェース設定情報を更新する際に、更新前の前記ユーザインタフェース設定情報を少なくとも次の更新まで所定の記録媒体に格納しておき、前記入力手段により所定の操作が検出されると、更新後の前記ユーザインタフェース設定情報を前記更新前の前記ユーザインタフェース設定情報へ戻すことを特徴とする請求項１記載の表示入力装置。
【請求項４】
ユーザの操作に基づいて、所定の複数パターンの前記ユーザインタフェース設定情報のうちから選択された１つの前記ユーザインタフェース設定情報を、そのユーザの前記ユーザインタフェース設定情報の初期値とすることを特徴とする請求項１記載の表示入力装置。
【請求項５】
前記表示制御手段は、前記ユーザインタフェースの画像として、複数のボタン画像を表示させ、
前記入力装置は、前記表示装置の画面上に配置されたタッチパネルを備え、前記複数のボタン画像のそれぞれの領域での押下操作を検出し、
前記ユーザインタフェース設定情報は、それぞれの前記ボタン画像の表示／非表示、配置位置、それぞれの前記ボタン画像のサイズ、それぞれの前記ボタン画像の形状およびそれぞれの前記ボタン画像の色のうちの少なくとも１つを指定する情報を含み、
前記更新手段は、前記ボタン画像のそれぞれに対する操作の頻度に基づいて、そのユーザの前記ユーザインタフェース設定情報を更新すること、
を特徴とする請求項１から請求項４のうちのいずれか１項記載の表示入力装置。
【請求項６】
請求項１から請求項５のうちのいずれか１稿記載の表示入力装置を備え、
前記表示入力装置に対する操作に応じて動作すること、
を特徴とする画像形成装置。
【発明の詳細な説明】
【技術分野】
【０００１】
本発明は、表示入力装置および画像形成装置に関するものである。
【背景技術】
【０００２】
表示装置と透明タッチパネルを組み合わせた操作パネルにおいて表示されるキーについて、キー配置などを登録したり、キーの使用頻度に基づいて学習によりキーの濃度や輝度を変更させたりする装置がある（例えば特許文献１参照）。
【０００３】
【特許文献１】特開平４−１９５２１５号公報
【発明の開示】
【発明が解決しようとする課題】
【０００４】
しかしながら、様々の機能を有し複数のユーザにより使用される装置においては、複数のユーザのそれぞれによって、各機能の使用頻度が異なるため、従来の技術では、どのユーザに対しても使いやすいユーザインタフェースを提供することは困難である。
【０００５】
本発明は、上記の問題に鑑みてなされたものであり、複数ユーザのうちのどのユーザに対しても使いやすいユーザインタフェースを提供可能な表示入力装置および画像形成装置を得ることを目的とする。
【課題を解決するための手段】
【０００６】
上記の課題を解決するために、本発明では以下のようにした。
【０００７】
本発明に係る表示入力装置は、操作中のユーザを判別するユーザ判別手段と、ユーザインタフェースの画像を表示する表示装置と、ユーザインタフェースに含まれユーザによる操作を検出する入力装置と、複数のユーザインタフェース設定情報から、ユーザ判別手段により判別されたユーザに関連付けられているユーザインタフェース設定情報を選択し、選択したユーザインタフェース設定情報に基づきユーザインタフェースの画像を決定し表示装置に表示させる表示制御手段と、ユーザ判別手段により判別されたユーザごとに、入力装置により検出された操作の情報を取得し履歴として所定の記録媒体に格納する操作情報取得手段と、ユーザの操作情報の履歴に基づいて、そのユーザのユーザインタフェース設定情報を更新する更新手段とを備える。
【０００８】
これにより、操作中のユーザが自動的に検出され、そのユーザ用のユーザインタフェースが構成される。したがって、各ユーザが装置を使用していくにつれ、複数ユーザのうちのどのユーザに対しても使いやすいユーザインタフェースを提供することができる。
【０００９】
また、本発明に係る表示入力装置は、上記の表示入力装置のいずれかに加え、次のようにしてもよい。この場合、表示制御手段は、ユーザのユーザインタフェース設定情報と標準のインタフェース設定情報とを切り換えることでユーザインタフェースを切り換える。また、操作情報取得手段は、ユーザのユーザインタフェース設定情報によるユーザインタフェースで入力装置により検出された操作の情報と、標準のユーザインタフェース設定情報によるユーザインタフェースで入力装置により検出された操作の情報とを合算する。そして、更新手段は、合算されたユーザの操作情報の履歴に基づいて、そのユーザのユーザインタフェース設定情報を更新する。
【００１０】
これにより、ユーザの好みに沿わない場合には標準のユーザインタフェースを使用するができ、さらに、その場合でもそのユーザ用のユーザインタフェースは更新されていくため、あるときにユーザの好みに沿わないユーザインタフェースとなっても、それを一時的なものとし、各ユーザが装置を使用していくにつれ、各ユーザにとってより使いやすいユーザインタフェースを提供することができる。
【００１１】
また、本発明に係る表示入力装置は、上記の表示入力装置のいずれかに加え、次のようにしてもよい。この場合、更新手段は、ユーザインタフェース設定情報を更新する際に、更新前のユーザインタフェース設定情報を少なくとも次の更新まで所定の記録媒体に格納しておき、入力手段により所定の操作が検出されると、更新後のユーザインタフェース設定情報を更新前のユーザインタフェース設定情報へ戻す。
【００１２】
これにより、ユーザの好みに沿わない場合には１つ前のユーザインタフェースを使用するができる。
【００１３】
また、本発明に係る表示入力装置は、上記の表示入力装置のいずれかに加え、次のようにしてもよい。この場合、ユーザの操作に基づいて、所定の複数パターンのユーザインタフェース設定情報から選択された１つのユーザインタフェース設定情報を、そのユーザのユーザインタフェース設定情報の初期値とする。
【００１４】
これにより、初期状態としてユーザの好みに近いユーザインタフェースが選択されるため、より早く、各ユーザにとって使いやすいユーザインタフェースを提供することができる。
【００１５】
また、本発明に係る表示入力装置は、上記の表示入力装置のいずれかに加え、次のようにしてもよい。この場合、表示制御手段は、ユーザインタフェースの画像として、複数のボタン画像を表示させる。また、入力装置は、表示装置の画面上に配置されたタッチパネルを備え、複数のボタン画像のそれぞれの領域での押下操作を検出する。ユーザインタフェース設定情報は、それぞれのボタン画像の表示／非表示、配置位置、それぞれのボタン画像のサイズ、それぞれのボタン画像の形状およびそれぞれのボタン画像の色のうちの少なくとも１つを指定する情報を含む。そして、更新手段は、ボタン画像のそれぞれに対する操作の頻度に基づいて、そのユーザのユーザインタフェース設定情報を更新する。
【００１６】
本発明に係る画像形成装置は、上記の表示入力装置のいずれかを備え、その表示入力装置に対する操作に応じて動作する。
【００１７】
これにより、オフィスやコンビニエンスストアなどの複数のユーザにより使用される環境において、操作中のユーザが自動的に検出され、そのユーザ用のユーザインタフェースが構成される。したがって、各ユーザが装置を使用していくにつれ、複数ユーザのうちのどのユーザに対しても使いやすいユーザインタフェースを提供することができる。
【発明の効果】
【００１８】
本発明によれば、複数ユーザのうちのどのユーザに対しても使いやすいユーザインタフェースを提供可能な表示入力装置および画像形成装置を得ることができる。
【発明を実施するための最良の形態】
【００１９】
以下、図に基づいて本発明の実施の形態を説明する。
【００２０】
図１は、本発明の実施の形態に係る表示入力装置を搭載した画像形成装置の構成を示すブロック図である。図１において、画像読取装置１は、例えば自動原稿給紙装置により給紙されてきた原稿の片面または両面に対して光を照射しその反射光等を受光して原稿の画像を読み取り画像データとして出力する装置である。印刷装置２は、画像読取装置１により生成された画像データに基づき、読み取った原稿の印刷処理を行う装置である。また、通信装置３は、モデムなどであって、ファクシミリ信号の送受を行う装置である。
【００２１】
また、表示装置４は、この画像形成装置の動作状態、設定などを表示するとともに、操作部の画像を表示する装置である。表示装置４としては、インジケータ、液晶ディスプレイなどが適宜設けられる。
【００２２】
また、入力装置５は、ユーザによる操作に応じた電気信号を出力する装置である。入力装置５は、ボタン、タッチパネル、ＩＤカードのカードリーダなどを含む。タッチパネルは、液晶ディスプレイといった表示装置４の表示画面上に設けられ、ユーザの操作を検出する。
【００２３】
表示装置４および入力装置５によりユーザインタフェース部６が構成される。図２は、図１におけるユーザインタフェース部６を構成する操作パネル２１を示す図である。図２に示すように、操作パネル２１には、入力装置５である透明なタッチパネル３１、スタートボタン３２、ストップ／クリアボタン３３およびテンキー３４、並びに表示装置４が設けられている。図２に示す状態では、表示装置４によりユーザインタフェース画像として複数のボタン画像４ａ，４ｂ，４ｃが表示されている。ボタン画像４ａ，４ｂ，４ｃは、それぞれ予め割り当てられた機能に関連づけられている。ボタン画像４ａは、カラーコピー機能に関連づけられており、ボタン画像４ｂは、白黒コピー機能に関連づけられており、ボタン画像４ｃは、ファクシミリ送信機能に関連づけられている。実施の形態１では、インタフェース設定情報に基づいて、それぞれのボタン画像４ａ，４ｂ，４ｃのサイズ、色、位置などが決定されている。なお、図２に示すボタン画像４ａ，４ｂ，４ｃは、デフォルトＵＩ情報に基づいて表示されたものであり、ボタン画像４ａ，４ｂ，４ｃのサイズおよび色は同一とされている。いずれかボタン画像４ａ，４ｂ，４ｃへの押下操作は、タッチパネル３１により検出される。
【００２４】
また、画像読取制御部７は、画像読取装置１を制御し画像読取装置１から画像データを取得する処理部である。また、印刷制御部８は、印刷対象のデータに画像処理を施すとともに印刷装置２を制御する処理部である。画像読取制御部７および印刷制御部８は、制御回路として実現されるか、プロセッサにより制御プログラムが実行されることで実現される。この画像形成装置のコピー機能には、画像読取装置１、画像読取制御部７、印刷装置２および印刷制御部８が使用され、ファクシミリ送信機能には、画像読取装置１、画像読取制御部７および通信装置３が使用される。
【００２５】
また、メモリ９は、不揮発性のメモリであって、ユーザテーブル９ａ、個別ＵＩ情報テーブル９ｂ、デフォルトＵＩ情報９ｃおよび操作履歴テーブル９ｄを格納する記録媒体である。ユーザテーブル９ａは、１または複数のユーザの登録情報（ユーザ識別情報など）を含む。個別ＵＩ情報テーブル９ｂは、複数のユーザのそれぞれについて設けられている、そのユーザ用のユーザインタフェースの設定情報（以下、個別ＵＩ情報という）を含む。デフォルトＵＩ情報９ｃは、特定のユーザ用ではない標準のユーザインタフェースの設定情報である。デフォルトＵＩ情報９ｃは、個別ＵＩ情報の初期値として使用される。操作履歴テーブル９ｄは、複数のユーザのそれぞれについての過去の操作の履歴情報を含む。なお、メモリ９の代わりにハードディスクドライブなどの記録媒体を使用してもよい。
【００２６】
演算処理部１０は、制御およびデータ処理を行う装置である。演算処理部１０は、プロセッサがプログラムを実行することにより実現される。演算処理部１０には、制御部１０ａ、ユーザ判別部１０ｂ、ＵＩ制御部１０ｃ、操作情報取得部１０ｄおよび更新処理部１０ｅが含まれる。
【００２７】
制御部１０ａは、通信装置３、画像読取制御部７および印刷制御部８に命令を供給して、画像読取装置１、印刷装置２および通信装置３に各種動作を行わせる処理部である。
【００２８】
ユーザ判別部１０ｂは、ユーザテーブル９ａを参照して、入力装置５により取得されたユーザ識別情報に基づいて、操作中のユーザを判別する処理部である。ユーザ識別情報としては、テンキー３４などに対するユーザ操作により入力されるユーザＩＤ、カードリーダによりＩＤカードから読み取られるユーザＩＤ、所定の生体情報リーダにより取得される指紋などの生体情報などが適宜使用される。
【００２９】
ＵＩ制御部１０ｃは、表示装置４に文字や画像を表示させるとともに、入力装置５から供給される操作検出信号に基づいて、ユーザによる操作を特定する処理部である。
【００３０】
操作情報取得部１０ｄは、ＵＩ制御部１０ｃにより特定された操作の情報を、ユーザごとに操作履歴テーブル９ｄに格納する処理部である。
【００３１】
更新処理部１０ｅは、操作履歴テーブル９ｄに格納されているユーザごとの操作情報に基づいて、個別ＵＩ情報テーブル９ｂにおけるそのユーザの個別ＵＩ情報を更新する処理部である。
【００３２】
次に、上記装置の動作について説明する。図３は、図１に示す装置の動作を説明するフローチャートである。
【００３３】
この画像形成装置では、使用開始前に認証処理が実行される。その際、ユーザによりユーザ識別情報が画像形成装置の入力装置５に対して提示される。入力装置５により取得されたユーザ識別情報は、ＵＩ制御部１０ｃにより、ユーザ判別部１０ｂへ供給される。ユーザ判別部１０ｂは、ユーザテーブル９ａを参照して、そのユーザ識別情報に一致するユーザ登録情報の有無を判定する（ステップＳ１）。
【００３４】
ＵＩ制御部１０ｃは、ユーザが登録されている場合には、そのユーザ識別情報に基づき、そのユーザ用の個別ＵＩ情報を個別ＵＩ情報テーブル９ｂから読み出し（ステップＳ２）、その個別ＵＩ情報に基づいて、ユーザインタフェース用の画像データを生成し、その画像データに基づくユーザインタフェース画像を表示装置４に表示させる（ステップＳ３）。これにより、画像形成装置が使用可能な状態となる。
【００３５】
その後、ＵＩ制御部１０ｃは、入力装置５に対する操作が発生したか否かを監視し（ステップＳ４）、入力装置５に対する操作が発生すると、その操作情報を入力装置５から取得し、その操作が終了操作ではない場合には（ステップＳ５）、その操作情報を操作情報取得部１０ｄに供給する。さらに、このとき、ＵＩ制御部１０ｃは、その操作情報を制御部１０ａに供給したり、その操作情報に対応して、表示装置４におけるユーザインタフェース画像を変更し、ユーザインタフェース画面を遷移させたりする。操作情報が供給された場合、制御部１０ａは、その操作情報により指定される動作を実行させるように、画像読取制御部７、印刷制御部８および通信装置３のうちの少なくとも１つに対して命令を供給する。
【００３６】
操作情報取得部１０ｄは、操作情報を取得すると、操作履歴テーブル９ｄにおける１または複数の操作履歴情報のうちの、現在操作中のユーザのユーザ識別情報に関連付けられている操作履歴情報に、取得した操作情報を追加する（ステップＳ６）。操作履歴情報への操作情報の追加は、所定の時間ごと、あるいは所定の回数の操作ごとに行うようにしてもよい。操作履歴情報には、複数の操作部および／または複数の操作項目のそれぞれについての操作の発生回数が含まれる。
【００３７】
一方、ユーザが画像形成装置の使用を終了する際の、入力装置５に対する終了操作がＵＩ制御部１０ｃにより検出された場合には（ステップＳ５）、更新処理部１０ｅは、そのユーザの操作履歴情報を操作履歴テーブル９ｄから読み出し、その操作履歴情報に基づいて、そのユーザの個別ＵＩ情報を変更するか否かを判定し、変更すると判定した場合には、その操作履歴情報に応じて、そのユーザがより使いやすいユーザインタフェースとなるように、そのユーザの個別ＵＩ情報を変更する（ステップＳ７）。個別ＵＩ情報が変更された場合、そのユーザが次回、この画像形成装置を使用する際に、その個別ＵＩ情報が反映されたユーザインタフェース画像が表示装置４により表示される。なお、
個別ＵＩ情報を変更するか否かの判定は、その時点での個別ＵＩ情報の値、並びに全操作部または他の操作部の操作回数に対比した各操作部の操作回数に基づく操作頻度が１または複数の所定の閾値以上であるかあるいは１または複数の所定の閾値以下であるかに基づいて行われる。つまり、更新処理部１０ｅは、その時点での個別ＵＩ情報におけるパラメータ（例えばボタン画像４ａ，４ｂ，４ｃのサイズなど）の値が、その操作頻度の値を含む範囲に対応したものであれば、変更をしないと判定し、そうでない場合には、変更をすると判定する。また、個別ＵＩ情報を変更するか否かの判定は、所定の期間（例えば１日、１週間、または１ヶ月）に１回のみとしてもよい。
【００３８】
操作履歴情報に基づいて個別ＵＩ情報を変更する方法としては、例えば、全操作部または他の操作部に比較して操作頻度が所定の閾値以上である操作部の画像のサイズを大きくしたり、他の操作部に比較して操作頻度が所定の閾値以下である操作部の画像のサイズを小さくしたり、その操作部の画像を削除したりする。また、操作頻度に応じて、画像を強調させたり、目立たなくさせたりするようにしてもよい。また、例えば、複数の操作部の配列順序を、操作頻度の順番としてもよい。
【００３９】
このようにすることで、画像形成装置の使用を重ねるにつれて個別ＵＩ情報がユーザごとに変更されていき、ＵＩ部６の表示装置４には、そのユーザにとって操作しやすいレイアウトのインタフェース画像が表示される。図４は、個別ＵＩ情報を反映したボタン画像が表示された操作パネル２１の一例を示す図である。例えば、ユーザが、白黒コピー機能を多く使用し、カラーコピー機能およびファクシミリ送信機能をあまり使用しない場合には、ユーザインタフェース画像は、図２に示す初期状態から図４に示す状態へ更新される。つまり、白黒コピー機能が多く使用される場合には、白黒コピー機能に対応するボタン画像４ａへの押下操作が多く発生するため、ボタン画像４ａのサイズが大きくされるとともに、ボタン画像４ａ，４ｂ，４ｃの配列の先頭に配置される。他方、他のボタン画像４ｂ，４ｃの押下操作が少ないため、他のボタン画像４ｂ，４ｃのサイズは小さく変更される。
【００４０】
なお、図４に示すように、デフォルトＵＩ情報９ｃに基づく標準ＵＩへ変更するためのボタン画像４ｄを表示するようにしてもよい。その場合、ボタン画像４ｄへの押下操作が入力装置５により検出されると、ＵＩ制御部１０ｃは、デフォルトＵＩ情報９ｃを読み出し、デフォルトＵＩ情報９ｃに基づくユーザインタフェース画像を表示装置４に表示させる。これにより、ユーザインタフェースが標準のものに切り替わる。なお、ユーザインタフェースが標準のものに切り換えられた後も、操作情報の取得および操作履歴情報の更新は、継続して実行される。つまり、操作履歴情報は、標準ＵＩでの操作情報および個別ＵＩ情報に基づくＵＩでの操作情報が合算されて更新される。また、ユーザインタフェースが標準のものに切り換えた場合に、さらに、個別ＵＩ情報に基づくユーザインタフェースに戻すためのボタン操作部を表示させるようにしてもよい。
【００４１】
以上のように、上記実施の形態によれば、ユーザ判別手段としてのユーザ判別部１０ｂは、操作中のユーザを判別する。表示制御手段としてのＵＩ制御部１０ｃは、複数のユーザインタフェース設定情報から、ユーザ判別部１０ｂにより判別されたユーザに関連付けられているユーザインタフェース設定情報を選択し、選択したユーザインタフェース設定情報に基づき、ユーザインタフェースの画像を決定し表示装置４に表示させる。また、操作情報取得手段としての操作情報取得部１０ｄは、ユーザ判別部１０ｂにより判別されたユーザごとに、入力装置５により検出された操作の情報を取得し履歴としてメモリ９に格納する。更新手段としての更新処理部１０ｅは、ユーザの操作情報の履歴に基づいて、そのユーザのユーザインタフェース設定情報を更新する。
【００４２】
これにより、操作中のユーザが自動的に検出され、そのユーザ用のユーザインタフェースが構成される。したがって、各ユーザが装置を使用していくにつれ、複数ユーザのうちのどのユーザに対しても使いやすいユーザインタフェースを提供することができる。
【００４３】
また、上記実施の形態によれば、ＵＩ制御部１０ｃは、ユーザの個別ＵＩ情報とデフォルトＵＩ情報９ｃとを切り換えることでユーザインタフェースを切り換える。また、操作情報取得部１０ｄは、ユーザの個別ＵＩ情報によるユーザインタフェースで入力装置５により検出された操作の情報と、デフォルトＵＩ情報９ｃによるユーザインタフェースで入力装置５により検出された操作の情報とを合算する。そして、更新処理部１０ｅは、合算されたユーザの操作情報の履歴に基づいて、そのユーザの個別ＵＩ情報を更新する。
【００４４】
これにより、ユーザの好みに沿わない場合には標準のユーザインタフェースを使用するができ、さらに、その場合でもそのユーザ用のユーザインタフェースは更新されていくため、あるときにユーザの好みに沿わないユーザインタフェースとなっても、それを一時的なものとし、各ユーザが装置を使用していくにつれ、各ユーザにとってより使いやすいユーザインタフェースを提供することができる。
【００４５】
また、上記実施の形態によれば、ユーザの操作に基づいて、所定の複数パターンのユーザインタフェース設定情報のうちから選択された１つのユーザインタフェース設定情報を、そのユーザのユーザインタフェース設定情報の初期値とする。
【００４６】
これにより、初期状態としてユーザの好みに近いユーザインタフェースが選択されるため、より早く、各ユーザにとって使いやすいユーザインタフェースを提供することができる。
【００４７】
なお、上述の実施の形態は、本発明の好適な例であるが、本発明は、これらに限定されるものではなく、本発明の要旨を逸脱しない範囲において、種々の変形、変更が可能である。
【００４８】
例えば、ユーザ認証を行わなくても使用可能となる装置において、デフォルトＵＩ情報９ｃに基づく標準ユーザインタフェース画像が表示装置４に最初に表示されており、その後、ユーザによりユーザ識別情報が提示されると、そのユーザの個別ＵＩ情報に基づくユーザインタフェース画像に自動的に切り替わるようにしてもよい。
【００４９】
また、上記実施の形態においては、デフォルトＵＩ情報９ｃは、１種類のみであるが、デフォルトＵＩ情報を複数格納しておき、デフォルトＵＩ情報に基づくユーザインタフェース画像を順番に表示装置４に表示させ、ユーザによる選択操作に応じて、いずれか１つのデフォルトＵＩ情報を選択し、選択したデフォルトＵＩ情報を個別ＵＩ情報の初期値に使用するようにしてもよい。
【００５０】
また、上記実施の形態において、ユーザ識別情報をＩＤカードから読み取る場合、ＩＤカードおよびカードリーダは、接触型および非接触型のいずれでもよい。
【００５１】
また、上記実施の形態において、更新処理部１０ｅは、個別ＵＩ情報を更新した場合、ユーザごとに、更新前の個別ＵＩ情報を少なくとも次回更新までメモリ９に保持しておくようにしてもよい。そして、その場合には、ＵＩ制御部１０ｃは、個別ＵＩ情報が少なくとも１回変更された場合に、個別ＵＩ情報を更新前のものへ戻す動作のためのボタン画像をユーザインタフェース画像に含め、そのボタン画像への押下操作が入力装置５により検出されると、更新処理部１０ｅは、個別ＵＩ情報を１つ前のものへ戻し、ＵＩ制御部１０ｃは、その戻した後の個別ＵＩ情報に基づくユーザインタフェース画像を表示装置４に表示させる。これにより、ユーザ操作に基づいて、更新後のユーザインタフェースを更新前のユーザインタフェースへ戻すことができる。
【００５２】
また、上記実施の形態において、画像形成装置が操作モードと編集モードの動作モードを有し、操作モードにおいて、上述の操作が可能な状態とされ、編集モードにおいて、表示装置４に表示されているボタン画像に対するドラッグ操作を入力装置５により検出し、ＵＩ制御部１０ｃは、そのドラッグ操作に応じて、ボタン画像の表示位置を変更させるようにしてもよい。また、編集モードにおいて、ボタン画像の表示／非表示、サイズ、バックグラウンド色などの設定を可能としてもよい。これらの場合、編集モードにおける設定は、個別ＵＩ情報に反映される。
【００５３】
また、上記実施の形態において、通信インタフェースを設け、通信インタフェースを介して個別ＵＩ情報のインポートおよびエクスポートを実行可能としてもよい。
【００５４】
また、上記実施の形態において、ユーザテーブル９ａにおける各ユーザのユーザ登録情報にユーザ属性を含めておき、そのユーザ属性に基づいて、更新処理部１０ｅは、そのユーザの個別ＵＩ情報を更新するようにしてもよい。たとえば、ユーザ属性としてユーザの年齢を含めておき、高齢のユーザの場合には、ボタン画像のサイズを全体的に大きくするとともに、操作頻度が低くても所定のサイズより小さいサイズにはしないようにしてもよい。
【００５５】
また、上記実施の形態ではユーザテーブル９ａは画像形成装置に格納されているが、その代わりに外部サーバに格納しておき、図示せぬネットワーク通信装置を介してその外部サーバにアクセスして、ユーザテーブル９ａを参照するようにしてもよい。
【００５６】
また、上記実施の形態では個別ＵＩテーブル９ｂは画像形成装置に格納されているが、その代わりに外部サーバに格納しておき、図示せぬネットワーク通信装置を介してその外部サーバにアクセスして、個別ＵＩテーブル９ｂを参照したり編集したりするようにしてもよい。
【００５７】
また、上記実施の形態において、所定の操作に基づき、あるユーザの個別ＵＩ情報を他のユーザの個別ＵＩ情報としてコピーするようにしてもよい。
【００５８】
また、上記実施の形態においては、操作部の画像としてボタン画像４ａ，４ｂ，４ｃを例示しているが、操作部の画像としてはボタン画像に限定されず、例えばタブ画像などといった他の操作部の画像についても上述の表示制御を適用可能である。
【産業上の利用可能性】
【００５９】
本発明は、例えば、表示装置を使用した操作パネルを有する複合機に適用可能である。
【図面の簡単な説明】
【００６０】
【図１】本発明の実施の形態に係る表示入力装置を搭載した画像形成装置の構成を示すブロック図である。
【図２】図１におけるユーザインタフェース部を構成する操作パネルを示す図である。
【図３】図１に示す装置の動作を説明するフローチャートである。
【図４】個別ＵＩ情報を反映したボタン画像が表示された操作パネルを示す図である。
【符号の説明】
【００６１】
４  表示装置
４ａ，４ｂ，４ｃ  ボタン画像
５  入力装置
１０ｂ  ユーザ判別部（ユーザ判別手段）
１０ｃ  ＵＩ制御部（表示制御手段）
１０ｄ  操作情報取得部（操作情報取得手段）
１０ｅ  更新処理部（更新手段）
３１  タッチパネル
【図１】
2009163625.tif 000003
【図２】
2009163625.tif 000004
【図３】
2009163625.tif 000005
【図４】
2009163625.tif 000006